(57)【要約】【課題】保温施工した配管の保温材の表面から配管の水漏れ箇所を容易に検知できる検知具の提供。【解決手段】保温材への刺し込みと導水を兼ねた刺込みピン２と、該刺込みピンの頂部に設けられる吸湿性の変色紙３と、必要に応じて該変色紙３面上に設けられる透明樹脂シート４とからなり、保温施工された配管の保温材の表面に刺着して配管の漏水部を検知する漏水検知具１、及び該漏水検知ピンを使用した配管構造。【選択図】図１
2008128666.tif 000002
【特許請求の範囲】
【請求項１】
保温材への刺し込みと導水を兼ねた刺込みピンと、該刺込みピンの頂部に設けられる吸湿性の変色紙とからなり、保温施工された配管の保温材に刺着して配管の漏水部を検知するための漏水検知具。
【請求項２】
刺込みピンと、該刺込みピンの頂部に設けられる吸湿性の変色紙と、該変色紙面上に設けられる透明樹脂シート又は透明プラスチックシートとからなる請求項１記載の漏水検知具。
【請求項３】
変色紙が、上下２枚の紙からなり、水溶性色材で着色された下側の紙が水に濡れると該色材が溶解して上側の紙に移行して上側の紙の色が変わるようにしたものである請求項１記載の漏水検知具。
【請求項４】
上下方向に配管、保温施工するにあたり、配管の接合箇所のように漏水が予想される箇所の下方に保温材と保温材の間に止水材を装着し、この止水材の上方の保温材に請求項１記載の漏水検知具を刺着することを特徴とする保温施工後に配管の漏水部を検知し得るようにした水漏れ検知配管構造。
【請求項５】
水平方向に配管し、保温施工するにあたり、配管の接合箇所のように漏水が予想される箇所の下方の保温材に請求項１記載の漏水検知具を刺着することを特徴とする保温施工後の配管の漏水部の検知方法。
【発明の詳細な説明】
【技術分野】
【０００１】
本発明は、冷暖房装置などに付随して設けられる温水などのための配管、特に外周にガラスウールなどの保温材を装着した配管の水漏れを検知するための検知具及び該検知具を用いた配管構造に関するものである。
【背景技術】
【０００２】
水漏れ検知手段としては、排水機場のタンクや配管などの水漏れを検知するために、水を吸収することで導電性が変化する水吸収性コーティング材と導電性コーティング材とを層状に塗布しておき、水漏れ発生時にその発生箇所において生じる水吸収性コーティング材の導電性の変化を検知して、水漏れを検知する方法（特許文献１）などが提案されている。このほか、温湿度測定装置や携帯電話などの電子機器や精密機器などの結露の発生や水濡れを検知する方法として、水に濡れると発色ないし変色する色素や薬剤を塗布した水漏れ検知用試験紙などが知られている（特許文献２及び３）。
しかしながら、これらの検知手段はいずれも漏れ出した水が直接試験紙等に接触する方式であり、外周に保温材や断熱材が巻き付けられた保温配管の水漏れを検地する方法ではない。そのため、給水、給湯、排水などの配管工事の現場で、簡易に使用して確実に水漏れを検知できる手段が求められている。
【特許文献１】特開平７−２９４３６７号公報
【特許文献２】特開平９−５２４４号公報
【特許文献３】特開平６−３００７５１号公報
【発明の開示】
【発明が解決しようとする課題】
【０００３】
給水、給湯、排水、冷水、温水などのための配管には、配管中を流れる流体、例えば温水が外気の温度によって温度が下がるとか、またその逆に配管からの熱でその周囲の温度が高くなるなどの不都合を避けるために、管の外周にガラスウールやロックウールなどからなる保温材を装着している。この保温材は、ガラスウール等で分割可能な円筒状又は半円筒状に作られており、またさらに、外周をアルミ箔やガラスクロスなどの表装材で被覆した保温材もある。
例えば配水管の施工において、配管に保温施工する場合には、通常、配管の水漏れ試験を実施した後に保温施工するが、試験の実施が困難な場合、又は時間が経つてから試験を行う場合などでは、水漏れ試験前に保温施工を行っている。
【０００４】
保温施工後の水漏れは、保温材があるため外側からの目視による検査では容易に検知できず、また、漏れ出た水が保温材に沿って流れて配管の水漏れ箇所と離れた箇所で漏水する場合もある。そのため、保温施工した配管では、水漏れがあるとその付近の保温材の全てを除去して調べる必要があった。
本発明は、不要な部分の保温材を除去することなく、保温施工後に適格に配管の水漏れ箇所を検知できる手段を提供するものである。
【課題を解決するための手段】
【０００５】
上記問題を解決するために、本発明の漏水検知具は、保温材への刺し込みと導水を兼ねた刺込みピンと、該刺込みピンの頂部に設けられる吸湿性の変色紙と、必要に応じて該変色紙面上に設けられる透明樹脂シート又はポリ塩化ビニルなどの透明プラスチックシートとからなる。本発明の漏水検知具（漏水検知ピン：以下単に検知ピンともいう。）は、水平方向に配管される横引き配管の場合、検知ピンを漏水が予想される箇所の下面から保温材に刺し込んで使用する。
また、本発明は、保温施工する配管が上下方向（竪管）の場合、配管の接合箇所のように漏水が予想される箇所の下方に保温材と保温材の間に非透水性の保温材などからなる止水材を装着し、この止水材の上方に検知ピンを配置した水漏れ検知配管構造に関する。
【発明の効果】
【０００６】
本発明は保温施工した配管の水漏れが予想される管の継手の箇所に、本発明の検知ピンを刺し込んでおくだけで、水漏れが発生すると、漏出した水は刺込みピンを伝わって該ピンの頂部の変色紙を濡らして変色させるので容易に水漏れ箇所を検知することができる。
本発明は、検知ピンを保温材の表面から刺し込むだけで容易に装着でき、検査も変色紙の色の変化を見るだけであるため見誤りがなく、検査後も容易に除去できる。また、刺込みピンも細い針状であるため、保温効果を損ねることもないなど多くの利点を有するものである。
【発明を実施するための最良の形態】
【０００７】
本発明の検知ピンの刺込みピンは、画鋲のように頂部に押し込み部を有する１本のピンからなっていてもよく、また、長いピンが二つ折れしたような逆Ｕ字型のＵ字型釘としても良い。ピンの長さは特に限定されないが、表装材を通って保温材の内部に達する長さとする。刺込みピンは、通常、針や釘のように金属製とするが、プラスチック製としても良い。
変色紙は、紙の表面又は紙自体に水に濡れて溶解する色材若しくは変色する色材を塗布又は含浸させたものを用いる。変色の仕方としては、例えば、黄色の着色紙と赤の着色紙とを重ねておき、水に濡れることによって下面の紙の赤色色素が溶けて上面の黄色の紙を赤色に変えるような変色方法でもよく、また、紙面に点状に塗布されていた色材が水に溶けて紙全面が着色する方法でも良い。色材としては、水との反応によって変色又は発色するものとか、蛍光色となる色材とか、任意のものが使用できる。変色紙は吸湿又は吸水性のものが好ましい。
【０００８】
変色紙は、刺込みピンを伝わってくる水分に接し易いように、刺込みピンを刺し通した形で設けるとよい。変色紙の上面には、大気中の水分や装着時に不用意に付着する水分によって変色するのを避けるために、透明な樹脂シート又は透明なプラスチックシート若しくはフィルム（以下、樹脂シートという）を設けると良い。
透明樹脂シートは、変色紙の表面に樹脂液を直接塗布して樹脂皮膜を形成してもよく、ポリエチレン、ポリプロピレン、ポリ塩化ビニル（塩ビ）などのプラスチックフィルムを変色紙上に単に重ねるか又は接着剤を介して積層する方法で設けても良い。プラスチックフィルムの場合には、変色紙より大きめの面積として下面に粘着剤を塗布したものとして、刺込みピンの頂部を含めて被覆し、変色紙の面積よりも張出した部分の粘着剤で保温材の表面に接着するようにしても良い。
本発明の検知ピンは、透明樹脂シートを設けない形態のものでも使用できる。
【実施例】
【０００９】
以下、本発明の実施例を図面にしたがって説明するが、本発明はこれらの例に限られるものではない。
図１は本発明の漏水検知ピンの一実施例を示す側面図で、１は検知ピン、２はＵ字型釘の刺込みピン、３ａは黄色の変色紙、３ｂは赤色の変色紙、４は透明樹脂シートを示し、５は刺込みピン２の頂部をシールするためのシール剤を示す。図示したように、変色紙３ａ、３ｂと透明樹脂シート４は重ねられた状態で刺込みピン２を刺し通して一体とされ、刺込みピン２の貫通孔から水分が入るのを防止するため、頭部にシール剤５を塗布してある。
なお、本実施例とは別に、刺込みピン２を変色紙３のみに貫通させ、刺込みピン２の頂部を含めて変色紙３の上面に透明樹脂シート４を被覆させるときは、シール剤５は不要である。
【００１０】
図２は、変色紙３の変色の一例を示す平面図で、変色紙３ａ、３ｂはともに水に溶解する色素で染色されていて、未使用時（乾燥状態時）は上面の変色紙３ａの黄色が見えていて（図２Ａ）、下面の赤色の変色紙３ｂが水に濡れると赤色の色素が溶けて黄色の変色紙３ａに移行して黄色の変色紙３ａが赤色に変色する（図２Ｂ）。この色の変化によって水漏れがあったことを検知する。
この実施例の場合、黄色の変色紙は水溶性色素で着色しなくても、赤色の色素の移行を受けて赤色に変わるような紙であれば使用できる。黄色と赤色は眼につき易いことから使用したが他の色でも良いことは勿論である。
【００１１】
図３は、変色紙の積層構造の他の例で、透明樹脂シート４、変色紙３ａ、３ｂを両面粘着テープ６を用いて積層して変色積層体７とした状態を示す。本例の場合は積層に両面粘着テープ６を用いたが、接着剤又は粘着剤を用いて積層しても良い。変色紙３を上下２枚とする場合には、透明樹脂シート４を、下面全面に粘着剤を塗布した透明樹脂シート（粘着シート）としても良い。変色紙３の外周に張出した樹脂シート４の下面に粘着テープ６の粘着剤面がある場合には、この粘着剤面のみを覆う離型紙（剥離紙）８ａ又は変色積層体７の下面全面を覆う離型紙８を貼り合わせ、使用時に剥離するようにするとよい。
変色紙３又は変色積層体７と刺込みピン２とは、必ずしも両者を組付けた形としておく必要はなく、別体として供給して使用時に組付けて使用しても良い。
【００１２】
図４は、本発明の検知ピンの使用方法を示す説明図で、横引き管の施工の例を示す。図示するように、所要の長さの配管とするために、管１０と管１０とが継手１１で接続され、管１０と継手１１を含めて保温材１２で覆われる。通常は、配管後に加圧漏水試験を実施して管１０と継手１１の間からの漏水の有無を調べるが、保温材１２で被覆した後は継手１１の位置が不明確になるほかに、保温材１２のために漏水状態が目視できない。
本発明の漏水検知ピンは、継手１１の部分に保温材１２を施工するときに、保温材１２の継手１１の両端に相当する位置に検知ピン１を刺して取り付ける。配管からの漏水は、図５に示すように、保温材１２内を通ってその下方に流れるため、検知ピン１は配管の下側に装着する。検知ピン１の透明樹脂シート４は、保温材１２の表装材１３に密着するように貼り付けると漏れ出た水が配管の下方に垂れ落ちることがないので好ましい。図中、１４は保温材の外周に巻かれた金網等の保護材を示す。
加圧漏水試験の後、検知ピンの変色の有無を確認して、変色している部分の保温材を除去して良好な接続状態とする。この例では継手の場合について説明したが、弁などの場合も同様である。
【００１３】
図６及び図７は、上下方向の配管に漏水検知ピンを適用する方法を示す説明図である。竪管の施工の場合、図６において、Ｔ字型継手11ａからの漏水は管１０の外周面に沿って下方に流れるため、単に継手11ａの近くに検知ピン１を刺着しただけでは検知できない場合がある。本発明では、水漏れが予想される継手11ａ等の下流の位置に止水材１５を保温材１２の間に介在させ、その上方の保温材、好ましくは止水材１５の上面に近い位置に検知ピン１を刺着する。漏れ出た水は止水材１５上に溜まり、刺込みピン２にガイドされて変色紙３を濡らして検知ピン1を変色させる。図6に示すように、エルボ型継手11ｂやバルブ１６の場合も同様にして水漏れを検知できる。止水板１５の上面で管１０との接触部には、図７に示すように、必要に応じてコーキング剤１７を塗布しても良い。
【００１４】
止水材は、適当な厚さで分割可能な中空円盤状に成形された独立気泡のプラスチック発泡体、例えばウレタンフォームなどの保温材などや、ガラスウールやロックウールの成形体の端面に樹脂シートを貼り付けたものなどが使用できる。このほか、従来の保温材の施工の際に、下流側の保温材の上端面に止水材として粘着プラスチックシートを貼着してもよく、また、適当な厚さのプラスチックシートを止水材として介在させてもよい。
【００１５】
本発明の検知ピンは、図１の軟質の透明樹脂シート４に代えてポリ塩化ビニルやポリスチレンなどの硬質プラスチック製の透明板状体としてもよく、画鋲のようにこの透明板状体と刺込みピンとを一体としたものとしても良い。この場合、変色紙を別途供給して、刺着ピン付き透明板状体を繰り返し使用することもできる。
【図面の簡単な説明】
【００１６】
【図１】本発明の検知ピンの一実施例を示す断面図である。
【図２】図１の検知ピンの発色方法を示した説明図である。
【図３】検知ピンの変色紙の積層の他の例を示す断面模式図である。
【図４】検知ピンの使用方法の一例を示す斜視図である。
【図５】検知ピンの検知方法の説明図である。
【図６】検知ピンの竪管の施工への適用例を示す断面模式図である。
【図７】検知ピンの他の適用例を示す断面模式図である。
【符号の説明】
【００１７】
１   検知ピン
２   刺込みピン
３   変色紙
４   透明樹脂シート
１０  管
１１  継手
１５  止水材
【図１】
2008128666.tif 000003
【図２】
2008128666.tif 000004
【図３】
2008128666.tif 000005
【図４】
2008128666.tif 000006
【図５】
2008128666.tif 000007
【図６】
2008128666.tif 000008
【図７】
2008128666.tif 000009